(57)【特許請求の範囲】
【請求項１】
電球型の輪郭形状に形成した高熱伝導率素材製であって、軸心回りの背面がわに放熱フィンを外部に露出状一体形成するようにし、同背面がわとは反対がわとなる表面がわには、前記放熱フィンがわに喰い込み状凹面形とした光源用凹欠部を開口し、電球型軸心に対して９５°ないし１０５°の照射姿勢とするようにして光源用凹欠部凹面形状奥部にＬＥＤ光源部を内蔵すると共に、この光源用凹欠部には、同光源用凹欠部表面がわ全面を覆い尽くして白熱電球型の輪郭形状の一部をなすよう形成した透過シールドを着脱自在に装着し、この透過シールドの輪郭形状と前記放熱フィンの外形輪郭形状とが連続、形成する全体輪郭形状を白熱電球型に規制してなるようにして灯具本体となし、該灯具本体の基端がわには、後記する口金に対して同灯具本体を３６０°以上の範囲で回動調節可能とする余裕長さに設定した絶縁電線やフレキシブルフラットケーブル、フレキシブル基盤の何れか一やブラシ型の摺動接触によって通電可能とする電気回路からなる電力供給回路を内蔵した上、電球用ねじ込み型口金の基端がわを、該口金のソケットへの螺合・螺解操作でも、３６０°ないし３７０°の角度範囲で正転および逆転を規制可能で、その回動調節角度範囲内では、回動調節後の角度姿勢を長期間安定に維持できるよう、充分な摩擦力を有する高摩擦回動性を確保して無段階的な調整可能に規制し、且つ同口金と灯具本体との間の電気絶縁性を確保可能な素材製とした回動機構を介して連結一体化してなるものとしたことを特徴とする電球型ＬＥＤランプ。
【請求項２】
ＬＥＤ光源部は、その照射姿勢が電球型軸心に対して１００°となるよう規制してなるものとした、請求項１記載の電球型ＬＥＤランプ。                                                                                  
【発明の詳細な説明】
【技術分野】
【０００１】
この発明は、ＬＥＤモジュールを光源とする照明技術に関連するものであり、特に従来型電球用ソケットに装着可能な口金を有する電球型のＬＥＤランプを製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                              
【背景技術】
【０００２】
（着目点）
ＬＥＤモジュールを光源としたＬＥＤ電球は、従来型の電球用ソケットに装着可能な口金を有し、従来の電球と置き換えるだけで大幅な低消費電力化および長寿命化を達成できるという利点を有し、省エネや自然環境保護の観点から一般家庭への普及が進んでいるが、明るさや照射範囲は、未だ白熱球や電球型蛍光灯などに及ばないという弱点を有している上、ねじ込み型の口金は、ソケットがわの雌ネジの設置姿勢に従って締め付け、装着しなければならないことから、ＬＥＤモジュールの向きを照明対象に正確に向けることができないという欠点があった。
【０００３】
（従来の技術）
（従来の技術）
こうした状況を反映し、その打開策となるような提案もこれまでに散見されない訳ではない。
例えば、下記する特許文献１（１）に提案されているものに代表されるように、ＬＥＤモジュールと電球口金とを保持する筐体が、ＬＥＤモジュールを保持する部位と電球口金を保持する部位とを電球口金の回転軸方向に対して回転させる機構を有する電球形ＬＥＤ光源とし、スクリューベース口金を有する器具に電球形ＬＥＤ光源を接続設置した場合、最終的に固定され使用状態になった時点で、照明の方向性を任意に設定できるようにしたものや、同特許文献１（２）に見られるような、ＬＥＤモジュールの配光ビーム光軸中心を、電球口金の差込方向に対して略９０°に設定し、同ＬＥＤモジュールを保持する筐体と電球口金を保持する筐体とを電球口金の差込方向を軸とした回転軸方向に対して回転させる機構を設け、電球用ソケットに装着した場合に、当該電球形ＬＥＤ光源の配光の光軸の向きが照明器具の反射板方向に向いてしまう場合が発生しても、ＬＥＤモジュールを保持する筐体を回転させ、照明器具の配光ビーム方向と電球形ＬＥＤ光源の配光ビーム方向とをマッチングさせることができるようにしてなる電球形ＬＥＤ光源などが散見される。
【０００４】
しかし、前者特許文献１（１）に示されているような電球形ＬＥＤ光源は、口金のねじ込み装着の軸心方向に平行な照射光を発生可能とするようＬＥＤモジュールを装着しているが、同軸心方向に所定の角度をもった斜め方向や真横方向などへの照明には不向きで、例えば白熱球用の電気スタンドなどに装着すると充分な照明が得られなくなってしまうという致命的な欠点を有するものであり、また、特許文献１（２）の電球口金の差込方向に対してＬＥＤモジュールの配光ビーム光軸中心を略９０°の姿勢に設定したものなどは、電球口金の差込方向に対して９０°以外の傾斜角度に設定できず、斜め横に差し込むソケットなどに装着すると、光軸が傾いてしまって白熱球に比較して充分な照明が得られなくなってしまうという欠点があった。                                                                                      
【特許文献１】（１）特開２００５−２７６４６６号公報    （２）特開２００５−２７６４６７号公報
【発明の開示】
【発明が解決しようとする課題】
【０００５】
（問題意識）
上述したとおり、従前までに提案のある各種電球形ＬＥＤ光源などは、何れもＬＥＤモジュールの配光ビーム光軸の向きが、電球口金の差込方向に対して平行か、または直角かの何れかの向きにだけ限られていて、それ以外の角度には姿勢設定できずに充分な照明効果が得られないという弱点を残したままとなっているところ、多様な利用者ニーズに応えるべく、永年に渡って照明性能の確保可能な照明灯具類の開発、提供に携わるものの一人として、既に知得してきた様々な技術情報などに基づき、これら弱点なっている照明範囲の一層の改善を図る必要性は勿論のこと、その照明機能を適正且つ効率的に確保するに適した新たな製造工程の必要性などを痛感するに至ったものである。
【０００６】
（発明の目的）
そこで、この発明は、フィラメントを利用した従来型の白熱球の輪郭形状をそのままに、電球用ねじ込み型口金の回転軸心に直交する方向に反射板や遮光傘などを配した電球用照明器具類に装着した場合にも、最も照明効果を得られる姿勢に調節可能とした新たなＬＥＤ照明技術の開発はできないものかとの判断から、逸速くその開発、研究に着手し、長期に渡る試行錯誤と幾多の試作、実験とを繰り返してきた結果、今回、遂に新規な構造の電球型ＬＥＤランプを実現化することに成功したものであり、以下では、図面に示すこの発明を代表する実施例と共に、その構成を詳述することとする。                                                          
【課題を解決するための手段】
【０００７】
（発明の構成）
図面に示すこの発明を代表する実施例からも明確に理解されるように、この発明の電球型ＬＥＤランプは、基本的に次のような構成から成り立っている。
即ち、電球型の輪郭形状に形成した高熱伝導率素材製であって、軸心回りの背面がわに放熱フィンを外部に露出状一体形成するようにし、同背面がわとは反対がわとなる表面がわには、前記放熱フィンがわに喰い込み状凹面形とした光源用凹欠部を開口し、電球型軸心に対して９５°ないし１０５°の照射姿勢とするようにして光源用凹欠部凹面形状奥部にＬＥＤ光源部を内蔵すると共に、この光源用凹欠部には、同光源用凹欠部表面がわ全面を覆い尽くして白熱電球型の輪郭形状の一部をなすよう形成した透過シールドを着脱自在に装着し、この透過シールドの輪郭形状と前記放熱フィンの外形輪郭形状とが連続、形成する全体輪郭形状を白熱電球型に規制してなるようにして灯具本体となし、該灯具本体の基端がわには、後記する口金に対して同灯具本体を３６０°以上の範囲で回動調節可能とする余裕長さに設定した絶縁電線やフレキシブルフラットケーブル、フレキシブル基盤の何れか一やブラシ型の摺動接触によって通電可能とする電気回路からなる電力供給回路を内蔵した上、電球用ねじ込み型口金の基端がわを、該口金のソケットへの螺合・螺解操作でも、３６０°ないし３７０°の角度範囲で正転および逆転を規制可能で、その回動調節角度範囲内では、回動調節後の角度姿勢を長期間安定に維持できるよう、充分な摩擦力を有する高摩擦回動性を確保して無段階的な調整可能に規制し、且つ同口金と灯具本体との間の電気絶縁性を確保可能な素材製とした回動機構を介して連結一体化してなるものとした構成を要旨とする電球型ＬＥＤランプである。                                                                                                                  
【発明の効果】
【０００８】
以上のとおり、この発明の電球型ＬＥＤランプによれば、従前までのものとは違い、上記したとおりの固有の特徴ある構成から、口金を含む灯具本体の外郭形状寸法が従来型白熱球に一致し、従前までのソケットに対し、そのまま干渉などさせずに装着することができる上、ランプシェードや反射板などを変更する必要もなく、特に、ソケットのねじ込み軸心の回りの一方に傘や反射板などを有する灯具に装着する場合には、口金をねじ込み装着した上、回動機構による回動調節操作を行い、ＬＥＤ光源部の向きを傘や反射板などとは反対がわに向けて表がわに露出するよう調整可能であるから、一段と効率的な照明を実現化することができ、しかも、該回動機構が、口金の螺合・螺解操作方向の双方に回転停止し、且つ、所定角度範囲回動調節自在となっていて、ソケットへの装着からＬＥＤ光源部の向きの調節までの一連の作業を効率的に行えるものとなり、ソケットから取り外す場合にも空転せずに簡単に取り外すことができ、白熱球と略同等の着脱操作性を確保することができる。
【０００９】
加えて、灯具本体は、高熱伝導率素材製であって、その軸心回り表面がわであるＬＥＤ光源部を内蔵する光源用凹欠部とは軸心回り反対がわとなる背面がわに、放熱フィンを露出状に一体形成してあり、ＬＥＤ光源部が発生する熱を効率的に放熱して異常過熱による照明効率の低下やＬＥＤ寿命の短縮などを効果的に防止することができ、特に、当該灯具本体を軽金属素材製のものとしたものは、さらに、耐久強度を高めると共に、軽量化を達成できるという利点が得られる。
【００１０】
そして、ＬＥＤ光源部の装着姿勢を、電球型軸心に対して９５°ないし１０５°の照射姿勢とするよう設定してなるものは、片側に支持柱を有し、同支持柱に対して斜め方向を照明するような灯具類に装着するのに適するものとなり、特に、電球型軸心に対して１００°の照射姿勢としたものは、従来より広く市販されている卓上用の白熱球用スタンドや、ブラケット型の照明灯具類などに装着して白熱電球と同等の照明効果を、それらよりも遙かに少ない電力で達成可能とすることができ、さらに、回動機構を３６０°ないし３７０°の角度範囲回動調節自在とするよう規制可能なものとしたものは、口金をソケットに螺着した後に、照明した方向にＬＥＤ光源部を向けるよう必ず調節することができるものになるという秀れた特徴が得られるものである。                                                                            
【発明を実施するための最良の形態】
【００１１】
上記したとおりの構成からなるこの発明の実施に際し、その最良もしくは望ましい形態について説明を加えることにする。
灯具本体は、当該電球型ＬＥＤランプの口金部分を除いた白熱球型形状部分を形成するものであって、その一側がわにＬＥＤ光源部を装着可能とし、また、それとは反対がわに放熱フィンを一体形成可能にするという機能を担うものであり、電球型の輪郭形状に形成した高熱伝導率素材製であって、軸心回りの背面がわに放熱フィンを露出状一体形成するようにし、同背面がわとは反対がわとなる表面がわに光源用凹欠部を開口し、ＬＥＤ光源部を内蔵すると共に、該光源用凹欠部に電球型の輪郭形状を補うよう透過シールドを組み込んでなるものとしなければならず、高熱伝導率のアルミニウム合金やマグネシウム合金などの軽金属素材製のものとするのが望ましい。
【００１２】
放熱フィンは、ＬＥＤ光源部が発光に伴い発生する熱を効率的に外部に放出して灯具本体を冷却可能とする機能を担い、ＬＥＤ光源部を内蔵する光源用凹欠部が形成されていて、灯具本体軸心回りの表面がわとは反対がわとなる灯具本体軸心回りの背面がわに、露出状に一体化形成してなるものとしなければならず、表面積をできるだけ拡大するよう深い凹凸形状のものとすべきである。
【００１３】
光源用凹欠部は、灯具本体にＬＥＤ光源部用の装着部分を形成可能とし、装着したＬＥＤ光源部の外表面がわを電球型の輪郭形状を補う外郭形状とした透過シールドで覆うのを可能とする機能を担い、ＬＥＤ光源部と電力供給回路とを接続可能とし、ＬＥＤ光源部の装着姿勢を電球型軸心に対して９５°ないし１０５°の照射姿勢になるものとすべきであって、より具体的には、電球型軸心に対して１００°の照射姿勢とするよう規制可能なものとするのが望ましい。
【００１４】
透過シールドは、灯具本体の光源用凹欠部に装着したＬＥＤ光源部を外力、および埃や水滴などの浸入などから保護可能とすると共に、ＬＥＤ光源部が発する照明光を透過可能、または透過拡散可能なものとする機能を担い、外郭形状を灯具本体と一体化し、全体で白熱電球の外郭形状に形成可能とするものとすべきであり、効率的に光を透過または透過拡散可能なものとしなければならず、無色透明や有色透明素材製の外、磨りガラス状の半透明素材製のものなどとすることができ、ガラス製や合成樹脂製のものとするのが望ましいと云える。
【００１５】
ＬＥＤ光源部は、灯具本体の光源用凹欠部に装着可能であって、電力供給回路からの供給電力を受けて発光ダイオードを発光可能とする機能を担い、マルチチップＬＥＤか、またはシングルチップＬＥＤかの何れか一方からなるものとすべきであり、光源用凹欠部への装着姿勢を、その光軸姿勢（照射姿勢）が、灯具本体の電球型軸心に対して９５°ないし１０５°、望ましくは１００°に設定されるようにしたものとすべきである。
【００１６】
電力供給回路は、従来型のソケットから供給されるＡＣ入力（交流電力）をＬＥＤ光源部の発光に適する電流、電圧に変換し、効率的にＬＥＤ光源部に供給可能とする機能を分担し、回動機構の動作にも対応可能な回動部分を有するものとし、口金先端の中心電極と口金外周壁電極との夫々に電気的に接続してなるものとしなければならず、整流器や変圧器、ヒューズ、サーモスタットなどといった様々な電子素子、電子部品、電子回路などを組み込んだものとすることが可能である。
【００１７】
口金は、当該電球型ＬＥＤランプを従来型の電球用ソケットに対して従来同様に機械的、電機的に装着可能とするものであり、ねじ式のものであって、電球類の口金に関する各種規格に準じた形状、寸法に設定されたものとしなければならず、ＪＩＳ（日本工業規格：ＪＩＳ  Ｃ  ８２８０）などの各種工業規格の要求に従った口金形状、寸法のものとすべきであり、より具体的には、後述する実施例に示すように、Ｅ２６やＥ１７などの規格に準じたものとするのが望ましいと云える。
【００１８】
回動機構は、当該電球型ＬＥＤランプを従来型の電球用ソケットに対して装着した場合に、ＬＥＤ光源部の照明方向を当該電球型ＬＥＤランプ軸心回りの任意位置に調節自在とする機能を果たすものであり、口金のソケット螺合・螺解操作で口金に対する灯具本体を回転停止、且つ所定角度範囲回動調節自在とするよう規制可能なものとすべきであり、例えば、後述する実施例に示すように、口金と灯具本体との間の電気絶縁性を確保可能な素材製で、ラチェット機構やワンウェイクラッチ機構などを組み合わせたものとするのが望ましく、ソケットへの螺合装着および螺解取り外し操作性を考慮すると、口金のソケットへの螺合・螺解操作でも、３６０°ないし３７０°の角度範囲で正転および逆転を規制可能なものとするのが良く、その回動調節角度範囲内では、回動調節後の角度姿勢を長期間安定に維持できるよう、充分な摩擦力を有する高摩擦回動性を確保して無段階的な調整を可能とするか、または、節度感をもって段階的に角度調節可能とするかしてなるものとすべきであり、また、回転部分の電力供給回路には、ブラシ型の摺動接触による通電を可能とする電気回路や、後述する実施例に示すように、口金に対して灯具本体を３６０°以上の範囲で回動調節可能とする余裕長さに設定してある絶縁電線やフレキシブルフラットケーブル、フレキシブル基盤などを利用して通電可能とする電気回路を用いたものとすることができる。
以下では、図面に示すこの発明を代表する実施例と共に、その構造について詳述することとする。                                                                                                            
【実施例１】
【００１９】
図１の電球型ＬＥＤランプの口金軸心に沿う断面図、図２の電球型ＬＥＤランプの側面図、図３の電球型ＬＥＤランプの平面図、図４の電球型ＬＥＤランプの底面図、図５電球型ＬＥＤランプの正面図、図６の電球型ＬＥＤランプの背面図、図７の電球型ＬＥＤランプの側面図、図８の電球型ＬＥＤランプの平面図、図９の電球型ＬＥＤランプの正面図、および、図１０の電球型ＬＥＤランプの背面図に示す事例は、電球型の輪郭形状軸心回りの背面がわに放熱フィン２０を、同表面がわに光源用凹欠部２１を夫々形成し、該光源用凹欠部２１にＬＥＤ光源部３を内蔵すると共に、透過シールド２４を組み込んでなる灯具本体２の基端がわに、電力供給回路４を内蔵した上、回動機構６を介して電球用ねじ込み型口金５を連結一体化してなるものとした、この発明の電球型ＬＥＤランプにおける代表的な一実施例を示すものである。
【００２０】
それら各図からも明確に把握できるとおり、この発明の電球型ＬＥＤランプ１は、その灯具本体２が、白熱電球のフィラメントを内蔵するバルブ部分に相当する輪郭形状に形成したアルミニウム合金製のものであり、同バルブ形状部分の軸心回りの背面がわに複数枚の放熱フィン２０，２０，……を刻設し、露出状に一体形成してなるものとし、同背面がわとは反対がわとなる表面がわに光源用凹欠部２１を開口し、その中央に所定角度に傾斜した光源用の装着面２２を形成し、マルチチップＬＥＤを搭載したＬＥＤ光源部３を電球型軸心に対して１００°（α）の照射姿勢とするよう装着すると共に、同光源用凹欠部２１の開口部分周縁に沿ってシールド組み込み用の嵌合縁２３を形成し、白色半透明の合成樹脂成形品であって、電球型の輪郭形状を補う輪郭曲面形状に形成してなる透過シールド２４を着脱可能に嵌合装着してなるものである。
【００２１】
当該灯具本体２は、その基端がわに、電気絶縁性を確保可能な合成樹脂製の回動機構６を介して電気伝導性を有する金属成形品からなる電球用ねじ込み型（Ｅ１７）口金５の基端がわを連結一体化したものであって、同灯具本体２の基端がわから、回動機構６、口金５に及ぶ内部には、外部導入線４０，４０を含む電力供給回路４を設け、各外部導入線４０，４０の一方が該口金５の中心電極５０に、他方が絶縁部５１を介して露出させたネジ形輪郭形状の外周壁電極５２に夫々接続し、図示しないヒューズ、抵抗器、整流器などの電子部品を配するようにし、交流電力の供給を受けてＬＥＤ光源部３を点灯可能なものとしている。
【００２２】
前記回動機構６は、灯具本体２と口金５との間にあって双方間の電気絶縁性を確保可能とすると共に、図示しない爪と歯車との組み合わせからなるラチェット機構やワンウェイクラッチ機構などを正逆転方向夫々に組み込んだものなどとし、該口金５のソケット螺合・螺解操作で回転停止、且つ、３６０°ないし３７０°の角度範囲回動調節自在とするよう規制可能なものとしてあり、充分な余裕長さに設定した外部導入線４０，４０で口金５に対する灯具本体２の回動操作を可能なものとしてある。
【００２３】
（実施例１の作用・効果）
以上のとおりの構成からなるこの発明の電球型ＬＥＤランプ１は、図１ないし図１０に示すように形成してあるから、従来型の白熱球用のソケットに干渉など一切生じることなく装着することができ、例えば、図示しないＥ１７の白熱電球用斜め横差しソケットに装着する場合に、灯具本体２を把持して口金５を図示しないソケットにねじ込むと、回動機構６が灯具本体２に対する口金５の回転を規制して確実に螺着することが可能であり、ソケットに口金５を装着した後、ＬＥＤ光源部３が、照明方向に向いていない場合には、図２中の破線矢印Ａに示すように、灯具本体２を３６０°ないし３７０°の角度範囲で回動調節することが可能であり、特に、ＬＥＤ光源部３の照明光軸Ｌが、灯具本体２の軸心Ｃに対して１００°（α）の照射姿勢に設定してあるから、斜め横差しのミニクリプトンランプ灯具などに装着した場合に最も秀れた照明効果を発揮するものとなる。
【００２４】
白熱球の形状を模して曲面形状に形成してなる透過シールド２４は、半透明でＬＥＤ光源部３の光を適度に拡散して眩しさを軽減できると共に、照明範囲を広めることができるという効果が得られるものであり、光源用凹欠部２１のＬＥＤ光源部３を装着した装着面２２の背面がわに、放熱フィン２０，２０を配して発光で生じる熱を効率的に冷却することができるから、ミニクリプトンランプの４０Ｗと同等の直下照度を確保することができ、その寿命をミニクリプトンランプの約３０倍の３万時間とすることが充分に期待されるものとなり、しかも消費電力を約４Ｗと、従来型のミニクリプトンランプの１／１０まで削減することが可能になり、格段の長寿命化と省エネ化とを達成することができる。
【００２５】
（結  び）
叙述の如く、この発明の電球型ＬＥＤランプは、その新規な構成によって所期の目的を遍く達成可能とするものであり、しかも製造も容易で、従前からのＬＥＤランプ技術に比較して大幅に外的美感を高め、軽量且つ低廉化して遥かに経済的なものとすることができる上、斜め横差し型のソケットへの装着および光軸調整作業性を大幅に改善し得るものとなることから、従前までは白熱球と同等の照明が得られず、従来型の照明器具を廃棄、交換せざるを得なかった一般家庭はもとより、さらに効率的で照明性能に秀れたＬＥＤランプの提供を希望する各種学校や企業、団体などにも高く評価され、広範に渡って利用、普及していくものになると予想される。                                                                                  
【図面の簡単な説明】
【００２６】
図面は、この発明の電球型ＬＥＤランプの技術的思想を具現化した代表的な一実施例を示すものである。
【図１】電球型ＬＥＤランプを示す断面図である。
【図２】電球型ＬＥＤランプを示す側面図である。
【図３】電球型ＬＥＤランプを示す平面図である。
【図４】電球型ＬＥＤランプを示す底面図である。
【図５】電球型ＬＥＤランプを示す正面図である。
【図６】電球型ＬＥＤランプを示す背面図である。
【図７】電球型ＬＥＤランプを示す側面図である。
【図８】電球型ＬＥＤランプを示す平面図である。
【図９】電球型ＬＥＤランプを示す正面図である。
【図１０】電球型ＬＥＤランプを示す背面図である。
【符号の説明】
【００２７】
１      電球型ＬＥＤランプ
２      灯具本体
２０    同  放熱フィン
２１    同  光源用凹欠部
２２    同  装着面
２３    同  嵌合縁
２４    同  透過シールド
３      ＬＥＤ光源部
４      電力供給回路
４０    同  外部導入線
５      口金
５０    同  中心電極
５１    同  絶縁部
５２    同  外周壁電極
６      回動機構
Ｃ      口金軸心
Ｌ      照明光軸
α      口金軸心Ｃに対する照明光軸Ｌの姿勢角度
Ａ      軸心Ｃ回りの回動調節方向を示す破線矢印                                                                                              
【図１】
0005329517.tif 000002
【図２】
0005329517.tif 000003
【図３】
0005329517.tif 000004
【図４】
0005329517.tif 000005
【図５】
0005329517.tif 000006
【図６】
0005329517.tif 000007
【図７】
0005329517.tif 000008
【図８】
0005329517.tif 000009
【図９】
0005329517.tif 000010
【図１０】
0005329517.tif 000011